(57)【要約】  【課題】  梱包されている電子機器の梱包を解くことなく電子機器の目視確認および動作試験をする。  【解決手段】  電子機器３と、電子機器３の外部筐体の少なくとも複数の部位に直接的または間接的に係合する緩衝部材４，５と、電子機器３に緩衝部材４，５が係合された状態でそれらを収納する梱包箱１とを備えた電子機器３の梱包構造において、電子機器３を梱包箱１に収納した状態で電子機器３を目視確認できる窓７を梱包箱１に設ける。ここで、窓７は上下方向および左右方向に移動自在に梱包箱１に支持される。また、窓７に透明フィルムまたは透明板を取り付ける。さらに、電子機器３は表示画面２を有するとともに、電源供給手段１１からの電源および映像信号供給手段１２からの映像信号を受けて画面表示し、かつ窓７は梱包箱１の表示画面２側に設ける。【選択図】  図１
2005082194.tif 000002
【特許請求の範囲】
【請求項１】
電子機器が梱包される箱体の一部に窓を設けて、梱包したままで電子機器を目視検査可能にしたことを特徴とする電子機器の梱包構造。
【請求項２】
電子機器と、該電子機器の外部筐体の少なくとも複数の部位に直接的または間接的に係合する緩衝部材と、前記電子機器に前記緩衝部材が係合された状態でそれらを収納する箱体とを備えた電子機器の梱包構造において、
前記電子機器を前記箱体に収納した状態で電子機器を目視確認できる窓を前記箱体に設けたことを特徴とする電子機器の梱包構造。
【請求項３】
前記窓は上下方向および左右方向に移動自在に箱体に支持されたことを特徴とする請求項１または２に記載の電子機器の梱包構造。
【請求項４】
前記窓に透明フィルムまたは透明板を取り付けたことを特徴とする請求項１乃至３のいずれかに記載の電子機器の梱包構造。
【請求項５】
前記電子機器は表示画面を有するとともに、電源供給手段からの電源および映像信号供給手段からの映像信号を受けて画面表示し、かつ前記窓は前記箱体の前記表示画面側に設けたことを特徴とする請求項１乃至４のいずれかに記載の電子機器の梱包構造。
【請求項６】
前記電源供給手段および前記映像信号供給手段は前記電子機器に内蔵されていることを特徴とする請求項５に記載の電子機器の梱包構造。
【請求項７】
前記電源供給手段および前記映像信号供給手段は前記電子機器の外部に設けられたことを特徴とする請求項５に記載の電子機器の梱包構造。
【請求項８】
外部の前記電源供給手段からの電源線と外部の前記映像信号供給手段からの信号線が接続された出力側接続プレートと、前記箱体の外表面に設けられ前記電子機器の電源入力端子に一端が接続された電源線の他端と前記電子機器の信号入力端子に一端が接続された信号線の他端とが接続された入力側接続プレートと、前記出力側接続プレートと前記入力側接続プレートとを着脱自在に接続する接続手段とを備えたことを特徴とする請求項７に記載の電子機器の梱包構造。
【請求項９】
前記接続手段を永久磁石の吸着力を用いて構成し前記出力側接続プレートと前記入力側接続プレートとを直接接触させたことを特徴とする請求項８に記載の電子機器の梱包構造。
【請求項１０】
前記接続手段を電磁石の吸着力を用いて構成し前記出力側接続プレートと前記入力側接続プレートとを直接接触させたことを特徴とする請求項８に記載の電子機器の梱包構造。
【請求項１１】
前記接続手段をコイル誘導または／および無線通信により構成して前記出力側接続プレートと前記入力側接続プレートとを非接触状態で電力および映像信号を伝送することを特徴とする請求項８に記載の電子機器の梱包構造。
【請求項１２】
請求項５乃至１１のいずれかに記載の電子機器の梱包構造により梱包されている電子機器において、
前記電子機器に前記電源供給手段から電源を送るとともに前記映像信号供給手段から映像信号を送ることにより画面表示させ、その画面を前記窓から目視確認して検査をする電子機器の検査方法。
【請求項１３】
前記映像信号供給手段から送られる映像信号を２色の映像信号としたことを特徴とする請求項１２に記載の電子機器の検査方法。
【請求項１４】
前記２色の映像信号を白色と黒色の映像信号としたことを特徴とする請求項１３に記載の電子機器の検査方法。
【発明の詳細な説明】
【技術分野】
【０００１】
本発明は、表示画面を備える電子機器の梱包構造、及び電子機器を梱包したままその表示画面の表示を検査する検査方法に関する。
【背景技術】
【０００２】
従来、電子機器を梱包したままで検査することを可能にした技術として特許文献１に記載の「小型電子機器の梱包構造」がある。これは液晶テレビ等の小型の電子機器を透明なブリスターパックにより包装しておくとともに、電子機器の入力用ジャックに位置するブリスターパックの部分に予め孔を開けておき、店頭において、ブリスターパックで包装されたままの状態で、その孔から入力用ジャックを介して電源や映像信号を電子機器に供給し、動作の確認や、画面の画質の確認をできるようにしたものである。
【特許文献１】実開平６−４４７９５号公報
【発明の開示】
【発明が解決しようとする課題】
【０００３】
しかしながら、上述の従来技術の場合、その対象が、ブリスターパックにより包装することが可能な小型の電子機器に限定されている。ブリスターパックにより包装するには大きすぎる普通サイズまたは大型の液晶テレビ等の機器では、段ボール箱等により梱包されている。そのため、これらの機器では、一旦、段ボール箱の梱包を解かないと動作試験ができないという煩わしさがあり、実際に商品が販売される場合、例えば液晶テレビでは、店頭で画面のチェックをすることなく販売されてしまうことが多い。その場合、商品の購入者が自宅に持ち帰り、使用を開始したところ、画素欠け等の不良が発見されることがあり、購入者の不満となることがあった。また、購入者が商品の欠陥に納得できない場合は、販売店に返品されることになり、販売店、購入者とも商品の運搬や時間のロスが大きくなるという問題があった。そこで、本発明は、段ボール箱等により梱包される液晶テレビ等の表示画面を備えた電子機器を、梱包したままで表示画面の動作試験をすることが可能な梱包構造及び検査方法を提案することを目的とした。
【課題を解決するための手段】
【０００４】
上記課題を解決するために、本発明に係る電子機器の梱包構造は、電子機器が梱包される箱体の一部に窓を設けて、梱包したままで電子機器を目視検査可能にする。さらに詳しくは、電子機器と、該電子機器の外部筐体の少なくとも複数の部位に直接的または間接的に係合する緩衝部材と、前記電子機器に前記緩衝部材が係合された状態でそれらを収納する箱体とを備えた電子機器の梱包構造において、前記電子機器を前記箱体に収納した状態で電子機器を目視確認できる窓を前記箱体に設ける。ここで、前記窓は上下方向および左右方向に移動自在に箱体に支持される。また、前記窓に透明フィルムまたは透明板を取り付ける。さらに、前記電子機器は表示画面を有するとともに、電源供給手段からの電源および映像信号供給手段からの映像信号を受けて画面表示し、かつ前記窓は前記箱体の前記表示画面側に設ける。ここで、前記電源供給手段および前記映像信号供給手段は前記電子機器に内蔵されることもある。また、前記電源供給手段および前記映像信号供給手段は前記電子機器の外部に設けられることもある。なお、外部の前記電源供給手段からの電源線と外部の前記映像信号供給手段からの信号線が接続された出力側接続プレートと、前記箱体の外表面に設けられ前記電子機器の電源入力端子に一端が接続された電源線の他端と前記電子機器の信号入力端子に一端が接続された信号線の他端とが接続された入力側接続プレートと、前記出力側接続プレートと前記入力側接続プレートとを着脱自在に接続する接続手段とを備えることもある。ここで、前記接続手段を永久磁石の吸着力を用いて構成し前記出力側接続プレートと前記入力側接続プレートとを直接接触させることも可能である。また、前記接続手段を電磁石の吸着力を用いて構成し前記出力側接続プレートと前記入力側接続プレートとを直接接触させることも可能である。また、前記接続手段をコイル誘導または／および無線通信により構成して前記出力側接続プレートと前記入力側接続プレートとを非接触状態で電力および映像信号を伝送することもある。また、本発明に係る電子機器の検査方法は、このように梱包された電子機器において、前記電子機器に前記電源供給手段から電源を送るとともに前記映像信号供給手段から映像信号を送ることにより画面表示させ、その画面を前記窓から目視確認して検査をする。ここで、前記映像信号供給手段から送られる映像信号は２色の映像信号とし、その２色の映像信号を白色と黒色の映像信号とする。
【発明の効果】
【０００５】
以上述べたように本発明によれば、電子機器を箱体に梱包したままで、画面の検査が可能となり、液晶テレビ等の購入者は、店頭で画面を確認して良品と確認できたものだけを購入できるようになり、購入後の画面不良によるトラブルの発生が解消される。
【発明を実施するための最良の形態】
【０００６】
以下、図に基づいて本発明の実施形態を説明する。
図１は本発明に係る電子機器の梱包構造の第１の実施形態を示す斜視図であり、図２は図１の縦断面図である。図示されるように、段ボール等からなる梱包箱１の内部には、液晶テレビ等の表示画面２を備えた電子機器３が緩衝部材４，５を介して収納されている。電子機器３の表示画面２側となる梱包箱１の正面（図の右側）には、煽り戸のように上下に開閉する蓋６が設けられ、蓋６の内側の梱包箱１には、電子機器３の表示画面２の大きさに相当する窓７が形成されている。蓋６を開放した状態で、この窓７から電子機器３の表示画面２を目視することができる。梱包箱１の背面（図の左側）には、電源信号供給線８が着脱自在な接続手段９を介して電子機器３に供給され、電源供給手段１１からの電源と、映像信号供給手段１２からの試験用の映像信号が電子機器３に送られる。
【０００７】
なお、図２に示される電子機器３は、下部のスタンド１３内にバッテリー１４を内蔵し、さらに、試験用の映像信号を発生させる映像信号供給手段１５を内蔵する場合がある。その場合は、外部の電源供給手段１１および映像信号供給手段１２と接続する必要はない。このように構成したことで、通常の商品の運搬、保管時は蓋６を閉じて、窓７からゴミ等の異物が入らないように、また表示画面２を直接指等で触れられないようにしておく。店頭で電子機器３の表示画面２を確認および表示試験をしようとする場合は、蓋６を開けるとともに、背面の接続手段９を介して電源信号供給線８を接続し、電源および試験用の映像信号を供給して画面表示させ、表示画面２の表示の良否を窓７を通して目視確認することができる。
【０００８】
なお、電子機器３に入力される試験用の映像信号は、白色および黒色を表示させる映像信号とする。通常、テレビ、パソコン等のディスプレイでは、赤、緑、青の３色の画素の集合として表示しているため、白の単色の映像を映したときには赤、緑、青の３色の画素全てが発光し、不良の画素がある場合は白色が再現されず不良画素であることが確認できる。また、黒の単色の映像を映したときには赤、緑、青の３色の画素全てが消灯し、不良の画素がある場合は黒色が再現されず不良画素であることが確認できる。
【０００９】
図２では、電源信号供給線８を接続して電源および映像信号を供給しているが、外部から電源のみを供給して、映像信号は内部の映像信号供給手段１５により発生させるようにすることもできる。また、その反対に、外部の映像信号供給手段１２から映像信号のみを供給して電源は内部のバッテリー１４を使用することも可能である。さらには、電源および映像信号の双方とも内部のものを使用して外部から供給しないようにすることも可能である。また、図示した接続手段９を用いることなく、梱包箱１に単に孔を開けておき、その孔から電源信号供給線８を挿入して、電子機器３のコネクタ（図示せず）に接続することも可能である。
【００１０】
図３は図２の接続手段９の具体的構造を示す斜視図である。接続手段９は、電源および映像信号を供給する側の出力側接続プレート９Ａと、梱包箱１に取り付けられて電源および映像信号が供給される側の入力側接続プレート９Ｂとからなり、それらの対向する面の周囲部分には、永久磁石９ｂ等が貼着されて、プレート９Ａとプレート９Ｂを近づけるだけで互いに吸着して一体となり、電気的に接続される構造になっている。なお、永久磁石を用いずに、プレート９Ａ側に電磁石を設け、プレート９Ｂ側に鉄片を設ける構造とすることも可能である。
【００１１】
図４は電子機器の梱包構造の第２の実施形態を示す断面図である。この実施形態は、正面側の窓７の内側に透明な板１７を貼着して、窓７から異物等が内部に侵入しないようにしたものである。なお、透明な板１７に代えて、透明なフィルムやシートであってもよい。また、窓７の外側には、取り外し取り付けが可能な蓋１８を取り付けるようにした。さらに、電源信号供給線８の接続される部分の梱包箱１に孔１９をあけて、電源信号供給線８を直接、電子機器３のコネクタ（図示せず）等に接続する構造としたものである。
【００１２】
図５は電子機器の梱包構造の第３の実施形態を示す断面図である。この実施形態は、図４の実施形態の窓７の部分を変更したものである。すなわち、窓７が形成される梱包箱１の正面側を二重構造にして収納空間２０を形成し、その収納空間２０内に、中央部分に孔２１が形成された可動板２２の外周部を挿入する構成にしたものである。可動板２２を上下左右に移動することで孔２１を表示画面２の任意の位置に移動して、表示画面２の不良箇所をチェックすることができる。この実施形態は、表示画面２を覗くための孔２１を表示画面２の大きさよりも小さくすることが可能となる。
【００１３】
図６は電子機器の梱包構造の第４の実施形態を示す断面図である。この実施形態は、画面試験のために外部から供給する電源または／および映像信号を、非接触で伝送するように構成したものである。すなわち、電子機器３を内蔵した梱包箱１を、出力側の誘導コイルを内蔵した供給台２４の上に載置するとともに、電子機器３のスタンド１３内にも入力側の誘導コイルを内蔵しておき、非接触で、電源または／および映像信号を供給台２４から電子機器３に送り、表示画面２を表示させるようにしたものである。
【００１４】
図７は電子機器の梱包構造の第５の実施形態を示す断面図である。一般に、液晶テレビ等の重量のある電子機器を梱包する場合、電子機器の取り出しを考慮して、上の外箱と下の内箱を重ね合わせる構造にすることが多い。そうすることにより、重い電子機器を箱から取り出すとき、箱を寝かせることなく、そのまま上の外箱を外して、梱包を開くことができる。このとき、外箱と内箱の結合に、合成樹脂製のロック部材が用いられており、ロック部材を取り外した後のロック部材取り付け孔を利用して配線の接続や画面の検査が可能となる。
【００１５】
すなわち、図示されるように、梱包箱を上面が開放された内箱２６と下面が開放された外箱２７とにより構成し、両者ともに、正面の窓２８，２９と電源信号供給線８を供給する背面の孔３１，３２を形成したものである。内箱２６と外箱２７を重ねた状態で、窓２８，２９および孔３１，３２の矢印で示す部分に、ロック部材を取り付けて、内箱２６と外箱２７を互いに固定するようにしたものである。この状態から、ロック部材を取り除き、背面の孔３１，３２から電源信号供給線８を接続することで、正面の窓２８，２９から表示画面２を検査することができる。この場合も、梱包を完全に解くことなく、内部の電子機器の検査が可能となる。
【産業上の利用可能性】
【００１６】
本発明は、液晶テレビ等の薄型表示装置をはじめとする、表示部を備えた家電一般の電子機器および表示部を備えた産業機器全般への利用が可能である。
【図面の簡単な説明】
【００１７】
【図１】本発明に係る電子機器の梱包構造の第１の実施形態を示す斜視図である。
【図２】図１の縦断面図である。
【図３】図２の接続手段の具体的構造を示す斜視図である。
【図４】本発明に係る電子機器の梱包構造の第２の実施形態を示す斜視図である。
【図５】本発明に係る電子機器の梱包構造の第３の実施形態を示す斜視図である。
【図６】本発明に係る電子機器の梱包構造の第４の実施形態を示す斜視図である。
【図７】本発明に係る電子機器の梱包構造の第５の実施形態を示す斜視図である。
【符号の説明】
【００１８】
１  梱包箱
２  表示画面
３  電子機器
４，５  緩衝部材
６  蓋
７  窓
８  電源信号供給線
９  接続手段
９Ａ  出力側接続プレート
９Ｂ  入力側接続プレート
９ｂ  永久磁石
１１  電源供給手段
１２  映像信号供給手段
１３  スタンド
１４  バッテリー
１５  映像信号供給手段
１７  板
１８  蓋
１９  孔
２０  収納空間
２１  孔
２２  可動板
２４  供給台
２６  内箱
２７  外箱
２８，２９  窓
３１，３２  孔
【図１】
2005082194.tif 000003
【図２】
2005082194.tif 000004
【図３】
2005082194.tif 000005
【図４】
2005082194.tif 000006
【図５】
2005082194.tif 000007
【図６】
2005082194.tif 000008
【図７】
2005082194.tif 000009